(57)【要約】      （修正有）【課題】種々の形状の清掃用把持具に脱落不能及び突抜不能な状態で装着して用いることができる清掃用積層体を提供すること。【解決手段】清掃用把持具に装着して用いられる取り替え可能な清掃用積層体１００は、（１）複数枚の基布を積層してなる基布層１０２と、（２）基布１０４の長手方向に沿って形成された融着部ＣＬ１と、当該長手方向に沿って基布１０４の幅方向両端側に形成された融着部ＤＬ１，ＤＬ２とを備えた下側挿入層１０６Ｌと、（３）基布１０４の長手方向に沿って基布１０４の幅方向両端側に形成された融着部ＤＬ１，ＤＬ２を備えた上側挿入層１０６Ｕと、（４）基布の第一長手方向端部に形成された着脱孔１０８と、を備える。【選択図】図１
2013046717.tif 000002
【特許請求の範囲】
【請求項１】
清掃用把持具に装着して用いられる取り替え可能な清掃用積層体であって、
複数枚の基布を積層してなる基布層と、
前記基布層の長手方向に沿って形成された連続線状融着部と、当該長手方向に沿って当該基布層の幅方向両端側に形成された不連続線状融着部とを備えた第一挿入層と、
前記基布層の長手方向に沿って当該基布層の幅方向両端側に形成された不連続線状融着部を備えた第二挿入層と、
前記基布層の第一長手方向端部に形成された着脱孔と、
を備えたことを特徴とする清掃用積層体。
【請求項２】
前記清掃用把持具は、挿入手段と把持手段とが着脱可能に連結されたものからなり、
前記挿入手段は、前記着脱孔を通す突起部を備え、
当該把持手段は、当該突起部と嵌合する嵌合孔を備えたことを特徴とする請求項１に記載の清掃用積層体。
【請求項３】
前記挿入手段は、前記不連続線状融着部に係合する、あるいは、前記第一又は第二挿入層内を動きにくくする膨出部又は突出部が形成されていることを特徴とする請求項１又は２に記載の清掃用積層体。
【請求項４】
前記基布層の第二長手方向端部が封止されていることを特徴とする請求項１から３のいずれかに記載の清掃用積層体。
【発明の詳細な説明】
【技術分野】
【０００１】
本発明は、清掃用積層体に関し、更に詳しくは、種々の形状の清掃用把持具に脱落不能及び突抜不能な状態で装着して用いることができる清掃用積層体に関する。
【背景技術】
【０００２】
この種の清掃用具は実用品として日常生活で用いられ需要者層も広いため多種多様のものが提案されている。
例えば、特許文献１に記載の清掃具は、把手具が清掃用物品に入れやすく且つ外しやすく、挿入された把手具が清掃用物品に安定的に固定されることを目的として提案されたものである。そして、特許文献１に記載の清掃具は、被挿入部を有する清掃用物品と、該被挿入部に挿入して清掃用物品を取り付ける把手具とからなる。清掃用物品は、前記被挿入部として把手具の挿入方向の一端に形成された挿入用開口部と他端との途中領域に被挿入衝合部とが設けられる。把手具は、把持部と、該把持部の先端から延びて清掃用物品の被挿入部に挿入する挿入部と、該挿入部を被挿入部に挿入したときに清掃用物品の挿入用開口部近傍を保持する保持部とを有する。把手具の挿入部は、清掃用物品の被挿入部に挿入したときに、被挿入衝合部と衝合するまで実質的に障害なく挿入され、該被挿入衝合部と衝合する衝合位置から先への該挿入部のそれ以上の挿入を規制する把手具衝合部を有し、挿入部が被挿入部に挿入されており、保持部にて清掃用物品が保持されたときに、把手具衝合部と保持部との間の清掃用物品の移動が実質的に抑制されている構成を備える。
【０００３】
特許文献２に記載の清掃用物品は、ゴミの収集が容易で部品点数が少ないものとすることを目的として提案されたものである。そして、特許文献２に記載の清掃用物品は、繊維束からなる一対の繊維層を備え、扁平で筒状の把手挿入部を有し、把手を該把手挿入部内に挿入して取り付け可能になされている。その繊維束は、熱融着性繊維から形成されており、一対の繊維層が熱融着性繊維の溶融により部分的に融着されている。把手挿入部は、一対の繊維層以外の部材を用いずに、一対の繊維層における融着されている部分同士が、把手の挿入方向に延びる複数の接合部で接合されて形成されている。一対の繊維層における融着されている部分それぞれは、把手挿入部の全域に亘って形成されているか、又は一対の繊維層それぞれに複数形成されており、複数の融着されている部分それぞれは、把手の挿入方向に延びる帯状に形成されており、複数の該接合部は、一対の繊維層における融着されている部分同士が重なる位置に配されており、把手の挿入方向と直交する方向に離間している。
【０００４】
特許文献３に記載の清掃用製品は、清掃用保持具の弾性変形を利用してワイプスを確実に保持させることができるようにしたものであり、ワイプスを取り付ける際に摺動抵抗を最小にでき、ワイプスを装着しやすくすることを目的として提案されたものものである。特許文献３に記載の清掃用製品は、清掃用保持具及びこれに装着されるワイプスからなる。清掃用保持具は、ワイプスの保持空間に挿入される対を成す支持板が分岐形成された合成樹脂製の本体部と、本体部から延びて手で保持可能なハンドル部とが設けられ、支持板は、その断面の幅寸法が板厚寸法よりも大きく且つ細長の板形状で、対を成す支持板が互いに平行に延び、支持板のそれぞれの外側部に、縁部が凸曲面形状の突部が一体に形成されており、対を成す支持板は、その先端どうしの間隔が狭まる方向へ弾性変形可能である。ワイプスには、平行に延びる２つの保持空間が形成され、保持空間の内幅寸法が清掃用保持具の支持板の幅寸法よりも広く形成されており、２つの保持空間のそれぞれに支持板が挿入されるときに、支持板に形成された突部が保持空間の内部を摺動して、支持板がその間隔が狭まるように変形するとともに、ワイプスの２つの保持空間の長手方向の中間部分に、保持空間の内幅寸法が減少する狭内幅部が設けられており、支持板に設けられた突部が狭内幅部を通過する際に一対の支持板はその間隔が狭まるように変形し、支持板が完全に挿入され突部が狭内幅部から外れたときに一対の支持板の間隔が広がって、ワイプスが清掃用保持具から外れないように保持される。そして、本体部とハンドル部との間に着脱自在な連結部が設けられており、表面側で本体部とハンドル部とが組み合わされる第１の組み合わせ部と、裏面側で本体部とハンドル部とが組み合わされる第２の組み合わせ部とが異なる形状であり、本体部に対してハンドル部が表裏逆向きに連結不能とされており、突部は、内部に空間を形成するリブを有しており、リブが弾性変形可能に構成される。
【先行技術文献】
【特許文献】
【０００５】
【特許文献１】特開２００７−１３６１５６
【特許文献２】特許第４５４５０８６号公報
【特許文献３】特許第４１３２７３０号公報
【発明の開示】
【発明が解決しようとする課題】
【０００６】
しかしながら、特許文献１に記載された清掃具の被挿入衝合部は、接合部分とその間の隙間という２つの構成からなるため、把手の形状が当該被挿入衝合部に衝合する必要があり適用しうる把手が限られるという問題がある。
また、特許文献２に記載された清掃用物品は、把手挿入部が一対の繊維層以外の部材を用いずに、一対の繊維層における融着されている部分同士が、把手の挿入方向に延びる複数の接合部で接合されて形成されているため、やはり、把手の形状が当該把手挿入部の形状に適合する必要があり適用しうる把手が限られるという問題がある。
更に、特許文献３に記載された清掃用製品は、そのワイプスに平行に延びる２つの保持空間が形成され、保持空間の内幅寸法が清掃用保持具の支持板の幅寸法よりも広く形成されており、２つの保持空間のそれぞれに支持板が挿入される構成をとるため、上記と同様に支持板の形状が当該保持空間の形状に適合する必要があり適用しうる支持板が限られるという問題がある。
【０００７】
本発明は、上記事情に鑑みてなされたものであり、その第一の目的は、種々の形状の清掃用把持具に脱落不能な状態で装着して用いることができる清掃用積層体を提供することにある。本発明の第二の目的は、種々の形状の清掃用把持具に突抜不能な状態で装着して用いることができる清掃用積層体を提供することにある。
【課題を解決するための手段】
【０００８】
上記課題を解決するために本発明に係る清掃用積層体は、清掃用把持具に装着して用いられる取り替え可能な清掃用積層体であって、
複数枚の基布を積層してなる基布層と、
前記基布層の長手方向に沿って形成された連続線状融着部と、当該長手方向に沿って当該基布層の幅方向両端側に形成された不連続線状融着部とを備えた第一挿入層と、
前記基布層の長手方向に沿って当該基布層の幅方向両端側に形成された不連続線状融着部を備えた第二挿入層と、
前記基布層の第一長手方向端部に形成された着脱孔と、
を備えたことを要旨とする。
【０００９】
上記構成を備えた本発明に係る清掃用積層体によれば、（１）第一挿入層は前記基布層の長手方向に沿って形成された連続線状融着部と、当該長手方向に沿って当該基布層の幅方向両端側に形成された不連続線状融着部とを備え、（２）第二挿入層は前記基布層の長手方向に沿って当該基布層の幅方向両端側に形成された不連続線状融着部を備えるため、第一挿入層は先端が複数に分岐した清掃用把持具を装着するのに好適であり、第二挿入層は先端が分岐しない清掃用把持具を装着するのに好適である。一方で第一及び第二挿入層は装着される清掃用把持具が限定されない。従って、本発明に係る清掃用積層体は種々の形状の清掃用把持具に装着できる。
【００１０】
更に、上記構成を備えた本発明に係る清掃用積層体によれば、着脱孔は前記基布層の第一長手方向端部に形成される。そのため、清掃用把持具に突起部及び嵌合孔を形成し、清掃用積層体の着脱孔に清掃用把持具の突起部を通した上でその嵌合孔をその突起部と嵌合させれば、清掃用積層体は抜脱不能に清掃用把持具に装着される。これにより、清掃用積層体は固定されるため突抜不能に清掃用把持具に装着される。
【００１１】
この場合に、前記清掃用把持具は、挿入手段と把持手段とが着脱可能に連結されたものからなり、
前記挿入手段は、前記着脱孔を通す突起部を備え、
当該把持手段は、当該突起部と嵌合する嵌合孔を備えることが好ましい。  
【００１２】
当該構成を備えた本発明に係る清掃用積層体によれば、これが装着される清掃用把持具に突起部及び嵌合孔が形成される。従って、清掃用積層体の第一長手方向端部に形成された着脱孔に清掃用把持具の突起部を通した上で、その嵌合孔をその突起部と嵌合させれば、清掃用積層体は抜脱不能に清掃用把持具に装着される。これにより、清掃用積層体は固定されるため突抜不能に清掃用把持具に装着される。
【００１３】
この場合に、前記挿入手段には前記不連続線状融着部に係合する又は前記第一又は第二挿入層内を動きにくくする膨出部又は突出部が形成されていることが好ましい。
【００１４】
当該構成を備えた本発明に係る清掃用積層体によれば、当該不連続線状融着部に挿入手段の膨出部又は突出部が係合し、あるいは、当該膨出部又は突出部が第一若しくは第二挿入層内において当該挿入手段を動きにくくするため、清掃用積層体は抜脱不能に清掃用把持具に装着される。これにより、清掃用積層体は固定されるため突抜不能に清掃用把持具に装着される。
【００１５】
この場合に、前記基布層の第二長手方向端部が封止されていることが好ましい。当該構成を備えた本発明に係る清掃用積層体によれば、これが装着された清掃用把持具は使用中に何らかの衝撃等で第二長手方向端部に向かって動いても当該第二長手方向端部の封止された部分で止まる。従って、通常の使用状態では清掃用積層体は清掃用把持具に突抜不能に装着される。
【発明の効果】
【００１６】
本発明に係る清掃用積層体は、（１）前記基布層の長手方向に沿って形成された連続線状融着部と、当該長手方向に沿って当該基布層の幅方向両端側に形成された不連続線状融着部とを備えた第一挿入層と、（２）前記基布層の長手方向に沿って当該基布層の幅方向両端側に形成された不連続線状融着部を備えた第二挿入層と、（３）前記基布層の第一長手方向端部に形成された着脱孔と、を備えたものであるから、種々の形状の清掃用把持具に脱落不能及び突抜不能な状態で装着して用いることができるという効果がある。
【図面の簡単な説明】
【００１７】
【図１】本発明の一実施形態に係る清掃用積層体１００の分解斜視図である。
【図２】本発明の一実施形態に係る清掃用積層体１００の着脱孔１０８の周辺を拡大した部分拡大斜視図である。
【図３Ａ】同図（ａ）は清掃用積層体１００が装着される清掃用把持具２００の斜視図であり、同図（ｂ）は清掃用把持具２００を折り曲げた状態を示す斜視図である。
【図３Ｂ】清掃用積層体１００を清掃用把持具２００に装着する装着方法を説明するための斜視図である。
【図３Ｃ】清掃用積層体１００を清掃用把持具２００に装着する装着方法を説明するための斜視図である。
【図３Ｄ】清掃用積層体１００を清掃用把持具２００に装着した状態を示す斜視図である。
【図４Ａ】同図（ａ）は清掃用積層体１００が装着される清掃用把持具３００の斜視図であり、同図（ｂ）は清掃用把持具３００を折り曲げた状態を示す斜視図である。
【図４Ｂ】清掃用積層体１００を清掃用把持具３００に装着する装着方法を説明するための斜視図である。
【図４Ｃ】清掃用積層体１００を清掃用把持具３００に装着する装着方法を説明するための斜視図である。
【図４Ｄ】清掃用積層体１００を清掃用把持具３００に装着した状態を示す斜視図である。
【符号の説明】
【００１８】
１００  清掃用積層体
１０２  基布層
１０４（１０４Ｌ、１０４Ｍ、１０４Ｕ）  基布（下側基布、中央基布、上側基布）
１０６（１０６Ｌ、１０６Ｕ）  挿入層（下側挿入層、上側挿入層）
１０８  着脱孔
１１０ （１１０Ｌ、１１０Ｕ） 糸状繊維束（下側糸状繊維束、上側糸状繊維束）
２００，３００  清掃用把持具
２０２，３０２  挿入部
２０４，３０４  把持部
２０６，３０６  突起部
２０８，３０８  嵌合孔
２１０  膨出部
３１０  突出部
２１２，３１２  清掃具
【発明を実施するための最良の形態】
【００１９】
以下に、図面を参照して、本発明の一実施形態について説明する。
（清掃用積層体１００）
図１は清掃用積層体１００の分解斜視図、図２は清掃用積層体１００の着脱孔１０８の周辺を拡大した部分拡大斜視図、図３Ａ〜図３Ｄ及び図４Ａ〜図４Ｄはそれぞれ清掃用積層体１００が装着される清掃用把持具２００，３００の斜視図、装着方法、装着状態等を示す図である。尚、以下の説明において下側、上側とあるがこれらは便宜上のものであり逆でもよい。
【００２０】
清掃用積層体１００は、複数枚の基布を積層してなる基布層１０２、すなわち、下側基布１０４Ｌ、中央基布１０４Ｍ、上側基布１０４Ｕの複数枚の基布をこの順番で積層してなる基布層１０２の表面に塵埃その他の汚れを取るための糸状繊維束１１０を熱融着したもの、すなわち、下側基布１０４Ｌの表面に下側糸状繊維束１１０Ｌを熱融着するとともに、上側基布１０４Ｕの表面に上側糸状繊維束１１０Ｕを熱融着したものからなる。
ここで、基布１０４は、下側基布１０４Ｌ、中央基布１０４Ｍ、上側基布１０４Ｕを総称したものであり、糸状繊維束１１０は、下側糸状繊維束１１０Ｌ、上側糸状繊維束１１０Ｕを総称したものである。基布１０４は不織布からなる。糸状繊維束１１０は、基布層１０２の幅方向に目視では判別できない程無数に並べられた糸状繊維の束からなる（図１参照）。糸状繊維束１１０は、中央部分等の融着部分を元にして先端部分が適度にばらけることによって綿状の外観手触りを呈する。図１において、清掃繊維用１１０は便宜上扁平な状態で示されるが、実際には図３Ｄ等に示したように丸みを帯びたふわっとした外観を呈する。
【００２１】
基布層１０２及び糸状繊維束１１０において熱融着される箇所は特に限定されないが、本実施形態においては、
（１）融着部ＣＬ１，ＣＬ２（図１において同じ符号で示すところを互いに融着した部分）、
（２）融着部ＤＬ１，ＤＬ２（図１において同じ符号で示すところを互いに融着した部分）、
（３）糸状繊維束１１０の両上下表面の先端部分の糸状繊維を一部持ち上げて表から見えないところと基布１０４とをその幅方向又は長手方向の線状その他の線状（例えば、曲線状）又は点状に熱融着させた部分（図示省略）が挙げられる。
尚、上記（３）のように糸状繊維束１１０の中央部分以外を全て熱融着するわけではない構成をとるために、毛先がばらけて毛羽立ち全体として丸みを帯びた外観を呈することができる。そして、毛羽立ちにより繊維と繊維の間に塵埃が捉えられる。
【００２２】
挿入層１０６は、下側挿入層１０６Ｌと、上側挿入層１０６Ｕとを総称したものであり、把持部２０４，３０４が挿入される中空状の空間である。挿入層１０６Ｌは、
（１）基布１０４Ｌと基布１０４Ｍとの間に形成され、基布層１０２の長手方向に沿って形成された融着部ＣＬ１と、
（２）当該長手方向に沿って基布層１０２の幅方向両端側に形成された融着部ＤＬ１，ＤＬ２とを備える。
【００２３】
融着部ＣＬ１は、糸状繊維束１１０Ｌと、基布１０４Ｌと、基布１０４Ｍとをこの順番で積層して熱融着することにより形成された、基布層１０２の長手方向に沿った融着部である。融着部ＣＬ１は、本実施形態では図１に示すように連続した線状の熱融着部であるが不連続又は点線状でもよい。
融着部ＤＬ１，ＤＬ２は、糸状繊維束１１０Ｌと、基布１０４Ｌと、基布１０４Ｍと、基布１０４Ｕと、糸状繊維束１１０Ｕとをこの順番で積層して熱融着することにより形成された融着部であって、基布層１０２の長手方向に沿って基布層１０２の幅方向両端側に形成された融着部である。融着部ＤＬ１，ＤＬ２は、本実施形態では図１に示すように不連続の線状の熱融着部である。この不連続部分の空隙ｇ（図２参照）には後述するように膨出部２１０や突出部３１０が入りこみ最近接の融着部ＤＬ１，ＤＬ２に係止される。もっとも、融着部ＤＬ１，ＤＬ２は連続した線状の融着部でもよい。
【００２４】
挿入層１０６Ｌは、中央の融着部ＣＬ１と両端の融着部ＤＬ１，ＤＬ２とにより、２つの空間（複数の空間）が形成され、各空間に清掃用把持具２００，３００の分岐した挿入部２０２，３０２がそれぞれ挿入される。従って、挿入層１０６Ｌは先端が複数に分岐した清掃用把持具に装着するのが好適であるが、装着する清掃用把持具は特に限定されない。
【００２５】
挿入層１０６Ｕは、基布層１０２の長手方向に沿って基布層１０２の幅方向両端側に形成された不融着部ＤＬ１，ＤＬ２を備える。挿入層Ｕは、挿入層１０６Ｌと共通の融着部ＤＬ１，ＤＬ２を備える。上記のように、融着部ＤＬ１，ＤＬ２は糸状繊維束１１０Ｌと、基布１０４Ｌと、基布１０４Ｍと、基布１０４Ｕと、糸状繊維束１１０Ｕとをこの順番で積層して熱融着することにより形成されるからである。
従って、挿入層１０６Ｕは、対向して形成される不融着部ＤＬ１，ＤＬ２によって形成される単一の空間からなる。そのため、挿入層１０６Ｕは、あらゆる形状の清掃用把持具（例えば、先端が分岐しないもの、あるいは、先端が３つ以上に分岐しているもの等）の挿入部に装着することができる。
【００２６】
尚、挿入層１０６Ｌと挿入層１０６Ｕはそれぞれ下側、上側としているが逆でもよい。すなわち、空間形状又は空間サイズの異なる又は同一の複数の挿入層があればよい。従って、下側がｍ分岐、上側がｎ分岐（ｍ≠ｎ、ｍ，ｎは自然数）又はこの逆であればよい。
【００２７】
融着部ＤＬ１，ＤＬ２は数ミリ〜数センチ間隔で形成される。本実施形態においては、挿入部２０２には、外側（両端側）に向かって膨らんだ膨出部２１０（図３Ａ参照）が形成されている。膨出部２１０に代えて突き出た突出部（図示省略）を形成してもよい。膨出部２１０や突出部は、これを空隙ｇを形成する融着部ＤＬ１，ＤＬ２に係合させると清掃用積層体１００の清掃用把持具２００への装着状態をより抜けにくいものとする。
また、挿入部３０２には、上側に向かって起立した突出部３１０（図４Ａ参照）が形成されている。突出部３１０に代えて膨らんだ膨出部（図示省略）を形成してもよい。突出部３１０や膨出部は、挿入部３０２を嵩高くするため挿入層１０６Ｌ内で挿入部３０２を動きにくくする。このため、突出部３１０や膨出部は、清掃用積層体１００の清掃用把持具３００への装着状態をより抜けにくいものとする。
【００２８】
着脱孔１０８は、基布層１０２の第一の長手方向端部に形成される。着脱孔１０８は、基布層１０２を構成する全ての基布１０４に形成される。従って、着脱孔１０８に突起部２０６，３０６を通した上で、嵌合孔２０８、３０８をそれぞれ突起部２０６，３０６と嵌合させれば、清掃用積層体１００は抜脱不能に清掃用把持具２００，３００に装着される。
【００２９】
尚、本実施形態では形成されていないが、基布層１０２の第二の長手方向端部（着脱孔１０８に対向する対辺部分）に封止部（図示省略）を形成してもよい。封止部は、挿入層１０６を構成する各基布１０４を重ね合わせて基布層１０２の第二の長手方向端部に熱融着により形成することができる。これにより、清掃用把持具１００が使用中に何らかの衝撃等で第二の長手方向端部に向かって動いても第二の長手方向端部の封止部で止まる。従って、通常の使用状態では清掃用積層体１００は清掃用把持具２００，３００に突抜不能に装着される。
【００３０】
（清掃用積層体１００の製造方法）
以下の（１）〜（４）の工程を実施することにより清掃用積層体１００が得られる。
（１）各基布１０４、及び、糸状繊維束１１０を図１に示すように所定の形状（長方形状その他の多角形状、楕円、円形状等）・大きさにカットする。
【００３１】
（２）糸状繊維束１１０Ｕと上側基布１０４Ｕとを図１に示す位置関係で重ね合わせて幅方向中心線に沿って熱融着し、融着部ＣＬ２を形成する。ここで、糸状繊維束１１０Ｕは全てを熱融着するのではなく、表面が毛羽立つように基布層１０２に近い側だけを熱融着し表面側は熱融着しないようにするとよい。
【００３２】
（３）糸状繊維束１１０Ｌと下側基布１０４Ｌと中間基布１０４Ｍとを図１に示す位置関係で重ね合わせて幅方向中心線に沿って熱融着し、融着部ＣＬ１を形成する。ここで、糸状繊維束１１０Ｌは全てを熱融着するのではなく、表面が毛羽立つように基布層１０２に近い側だけを熱融着し表面側は熱融着しないようにするとよい。
【００３３】
（４）上側糸状繊維束１１０Ｕ、上側基布１０４Ｕ、中間基布１０４Ｍ、下側基布１０４Ｌ、下側糸状繊維束１１０Ｌをこの順番になるように重ね合わせて、基布層１０２の幅方向両端側に任意の間隔（図１参照）を空けて空隙ｇを形成できるように、基布層１０２の長手方向に沿って熱融着する。これにより、下側挿入層１０６Ｌ、上側挿入層１０６Ｕが形成される。尚、封止部を形成する場合には着脱孔１０８と反対側の端を重ね合わせて熱融着すればよい。
【００３４】
（清掃用把持具２００，３００）
図３Ａ〜図３Ｄ、図４Ａ〜図４Ｄに示す清掃用把持具２００，３００は、それぞれ、挿入部２０２，３０２と、把持部２０４，３０４とを備え、各挿入部と各把持部とが着脱可能、かつ、回動可能に連結されたものからなる。挿入部２０２，３０２の端部に対向して形成された一対の連結孔に把持部２０４，３０４の端部に互いに反対を向いて形成された一対の連結片が嵌め込まれることにより連結部分が構成される。
【００３５】
挿入部２０２，３０２は、着脱孔１０８を通す突起部２０６，３０６を備え、把持部２０４，３０４は、突起部２０６，３０６と嵌合する嵌合孔２０８，３０８を備える。突起部２０６は四角柱状の形状であり胴体に比べて根本部分が凹み、嵌合孔２０８は突起部２０６に嵌合する四角形状である。突起部２０６の凹み部分に嵌合孔２０８が嵌合する。また、突起部３０６は略円柱状（又は略球状）の形状であり胴体に比べて根本部分が凹み、嵌合孔３０８は突起部３０６に嵌合する。突起部３０６の凹み部分に嵌合孔３０８が嵌合する。嵌合孔２０８，３０８は貫通したタイプのものでも、貫通しないタイプのものでもよい。
【００３６】
膨出部２１０は、挿入部２０２に形成される外側（両端側）に向かって膨らんだ係止片である。膨出部２１０に代えて突き出た突出部（図示省略）を形成してもよい。膨出部２１０や突出部は、空隙ｇ（図２、図３Ｂ参照）を形成する融着部ＤＬ１，ＤＬ２に係合させられる。これにより、清掃用積層体１００の清掃用把持具２００への装着状態をより抜けにくいものとする。
突出部３１０は、挿入部３０２に形成される上側に向かって起立した係止片である。突出部３１０に代えて膨らんだ膨出部（図示省略）を形成してもよい。突出部３１０や膨出部は、挿入部３０２を嵩高くするため挿入層１０６Ｌ内で挿入部３０２を動きにくくする。このため、突出部３１０や膨出部は、清掃用積層体１００の清掃用把持具３００への装着状態をより抜けにくいものとする。
【００３７】
清掃用積層体１００と、これが装着される清掃用把持具２００，３００とは、分離して構成されるが、使用時においては図３Ｄ及び図４Ｄに示すように清掃具２１２、３１２として合体して用いられ、いずれも取り替えて用いることができる。
【００３８】
（清掃用把持具２００，３００の製造方法）
清掃用把持具２００，３００は、挿入部２０２，３０２、把持部２０４，３０４を模った金型内に加熱溶融させた高分子樹脂を射出注入し、冷却・固化させることによって製造される。
【００３９】
（装着方法）
図３Ａ〜図３Ｄ及び図４Ａ〜図４Ｄは、清掃用積層体１００がそれぞれ図３Ａに示す清掃用把持具２００、図４Ａに示す清掃用把持具３００に取り付けられる一連の装着手順を示す。図３Ｂ又は図４Ｂに示すように挿入部２０２，３０２をその先端から下側挿入層１０６Ｌに挿入し、挿入部の付け根（把持部とのジョイント部分）まできたら、図３Ｃ（ａ）又は図４Ｃ（ａ）に示すように突起部２０６，３０６を着脱孔１０８に通す。次いで、図３Ｃ（ｂ）又は図４Ｃ（ｂ）に示すように突起部２０６，３０６と嵌合孔２０８，３０８とを嵌合させる。これにより、図３Ｄに示す清掃具２１２、図４Ｄに示す清掃具３１２が得られる。
【００４０】
（作用効果）
本発明に係る清掃用積層体１００は、（１）基布層１０２の長手方向に沿って形成された融着部ＣＬ１と、当該長手方向に沿って基布層１０２の幅方向両端側に形成された融着部ＤＬ１，ＤＬ２とを備えた下側挿入層１０６Ｌと、（２）基布層１０２の長手方向に沿って基布層１０２の幅方向両端側に形成された融着部ＤＬ１，ＤＬ２を備えた上側挿入層１０６Ｕと、（３）基布層１０２の第一長手方向端部に形成された着脱孔１０８と、
を備えたものであるから、種々の形状の清掃用把持具に脱落不能及び突抜不能な状態で装着して用いることができる。
【００４１】
以上本発明の一実施形態について説明したが、本発明は上記実施形態に限定されるものではなく、種々の改変が可能である。
【産業上の利用可能性】
【００４２】
本発明に係る清掃用積層体は、着脱孔が設けられるとともに第一挿入層と第二挿入層とが形成されたものであるため種々の形状の清掃用把持具が適用でき、利便性が高く産業上利用価値が極めて高い。
【図１】
2013046717.tif 000003
【図２】
2013046717.tif 000004
【図３Ａ】
2013046717.tif 000005
【図３Ｂ】
2013046717.tif 000006
【図３Ｃ】
2013046717.tif 000007
【図３Ｄ】
2013046717.tif 000008
【図４Ａ】
2013046717.tif 000009
【図４Ｂ】
2013046717.tif 000010
【図４Ｃ】
2013046717.tif 000011
【図４Ｄ】
2013046717.tif 000012